(57)【要約】【課題】本発明の目的は筋や腱の負荷を小さくし得るランニング用の履物を提供する。【解決手段】ソール１とアッパー２とを備えたランニング用の履物であって、アッパー２は脚が延び出る開口２０を足関節よりも上方に有し、アッパー２には甲上面から脚前面に沿って延びる剛性パーツ３を装着する装着部２１が設けられ、アッパー２は剛性パーツ３を甲およびスネにフィットさせる締付具４を有し、剛性パーツ３は近位端Ｅ１から遠位端Ｅ２まで滑らかに湾曲して連なっており、剛性パーツ３の近位端Ｅ１の位置は内踝の下端から３ｃｍ〜４５ｃｍ上方の範囲に設定され、剛性パーツ３は足趾の先端を覆わず、剛性パーツ３の遠位端Ｅ２の位置がリスフラン関節Ｊよりも前方で、かつ、第１趾のＩＰ関節および第２趾のＰＩＰ関節よりも後方に設定されている。【選択図】図１
2018019745.tif 000002
【特許請求の範囲】
【請求項１】
ソール１とアッパー２とを備えたランニング用の履物であって、
前記アッパー２は脚が延び出る開口２０を足関節よりも上方に有し、
前記アッパー２には甲上面Ｆｆから脚前面Ｌｆに沿って延びる剛性パーツ３を装着する装着部２１が設けられ、
前記アッパー２は前記剛性パーツ３を甲ＦおよびスネＬにフィットさせる締付具４を有し、
前記剛性パーツ３は近位端Ｅ１から遠位端Ｅ２まで滑らかに湾曲して連なっており、
前記剛性パーツ３の近位端Ｅ１の位置は内踝Ａｍの下端から３ｃｍ〜４５ｃｍ上方の範囲に設定され、
前記剛性パーツ３は足趾の先端を覆わず、
前記剛性パーツ３の遠位端Ｅ２の位置がリスフラン関節Ｊよりも前方で、かつ、第１趾Ｂ１のＩＰ関節および第２趾Ｂ２のＰＩＰ関節よりも後方に設定されている、履物。
【請求項２】
請求項１において、前記遠位端Ｅ２の位置が第１および第２趾Ｂ１，Ｂ２のＭＰ関節よりも前方に設定されている、履物。
【請求項３】
請求項２において、前記装着部２１の遠位端Ｅ２２の位置が前記第１および第２趾Ｂ１，Ｂ２のＭＰ関節よりも前方に設定され、かつ、前記装着部２１の近位端Ｅ１１の位置が内踝Ａｍの下端から３ｃｍ〜４５ｃｍの上方の範囲に設定されている、履物。
【請求項４】
請求項１，２もしくは３において、前記剛性パーツ３は足の甲Ｆを覆う甲部３０と脚の前面を覆う脚部３１とを有し、
前記甲部の上面３０ｆおよび前記脚部の前面３１ｆには前記剛性パーツ３よりも柔軟で前記剛性パーツ３が前記装着部２１に対しズレるのを抑制するズレ抑制部材５が付着している、履物。
【請求項５】
請求項１〜４のいずれか１項において、前記剛性パーツ３は、前記近位端Ｅ１および前記遠位端Ｅ２の幅Ｗ１，Ｗ２に比べ前記遠位端Ｅ２と近位端Ｅ１との間において幅が小さい幅狭部Ｗ０を有することを特徴とする、履物。
【請求項６】
請求項１〜５のいずれか１項において、前記剛性パーツ３の近位端Ｅ１の位置が前記内踝Ａｍの下端から５ｃｍ〜３５ｃｍ上方の範囲に設定されている、履物。
【請求項７】
請求項１〜５のいずれか１項において、前記剛性パーツ３の近位端Ｅ１の位置が前記内踝Ａｍの下端から７ｃｍ〜３０ｃｍ上方の範囲に設定されている、履物。
【発明の詳細な説明】
【技術分野】
【０００１】
本発明はランニング用の履物に関する。
【背景技術】
【０００２】
履物において、甲上面から脚前面に沿って延びる樹脂等の部材は公知である。これらの部材の多くは、足の甲を落下物から守る。
【先行技術文献】
【特許文献】
【０００３】
【特許文献１】ＪＰ０８−３１７８０６Ａ（図６）
【特許文献２】ＪＰ５，２８９，１１３Ｂ２（図１〜図３）
【特許文献３】ＪＰ０２−２８６０１Ｕ（第１図、第２図）
【特許文献４】ＪＰ５４−１０３４１Ｕ（第１図）
【特許文献５】ＪＰ４９−１６１４１Ｕ（第１図）
【発明の開示】
【０００４】
ランニングの練習を行う場合、筋や腱に負荷がかかる。しかし、前記先行技術は、前記負荷を軽減することを狙ったランニング用の履物を開示していない。（たとえば、特許文献１〜５）。
【０００５】
したがって、本発明の目的は筋や腱の負荷を小さくし得るランニング用の履物を提供することである。
【０００６】
本発明の履物は、ソールとアッパーとを備えたランニング用の履物であって、
前記アッパーは脚が延び出る開口を足関節よりも上方に有し、
前記アッパーには甲上面から脚前面に沿って延びる剛性パーツを装着する装着部が設けられ、
前記アッパーは前記剛性パーツを甲およびスネにフィットさせる締付具を有し、
前記剛性パーツは近位端から遠位端まで滑らかに湾曲して連なっており、
前記剛性パーツの近位端の位置は内踝の下端から３ｃｍ〜４５ｃｍ上方の範囲に設定され、
前記剛性パーツは足趾の先端を覆わず、
前記剛性パーツの遠位端がリスフラン関節よりも前方で、かつ、第１趾のＩＰ関節および第２趾のＰＩＰ関節よりも後方に設定されている。
【０００７】
本発明において、甲上面から脚前面に沿って延びる剛性パーツは、甲およびスネにフィットした状態で、足関節が背屈するのを抑制する。この背屈抑制により、アキレス腱、ヒラメ筋および筋膜が伸び過ぎるのが抑制される。したがって、筋や腱の負荷が小さくなることが期待できる。
【０００８】
本発明において、「ランニング用の」とは、通常の路面を走行する動作だけでなく短距離走などの陸上競技やバスケットなどの球技といった走行動作を伴う競技全般も含む意味である。一方で、スキーブーツのように、通常の路面上を走行することができないような靴は本発明における「ランニング用」の靴には含まれない。ランニング用の履物のアウトソールとしては、軟質のウレタンやゴムの他、短距離スパイクの場合、繊維強化材料など硬質材料を採用することもできる。
【０００９】
足関節とは、内踝および外踝を含む関節をいう。
剛性パーツの遠位端とは、パーツのつま先側の端を意味し、一方、剛性パーツの近位端とは、前記遠位端とは反対側の端を意味する。
【００１０】
前記剛性パーツの近位端が内踝の下端から３ｃｍ〜４５ｃｍ上方の範囲に設定されていることで、足関節の背屈時に剛性パーツが脚の前面に圧接する。前記剛性パーツの遠位端がリスフラン関節よりも前方に配置されていることで、足関節の背屈時に剛性パーツが甲の上面に圧接する。このように、剛性パーツが前記背屈時に脚前面と甲上面に当接することで、脚および足に沿って屈曲し足関節の背屈を抑制する。
【００１１】
第１趾のＩＰ関節とは、第１趾の趾節間関節を意味する。一方、ＰＩＰ関節とは、近位趾節間関節を意味する。
【００１２】
これらの関節よりもパーツの遠位端が後方に配置されていることによって、走行時に、ＩＰ関節やＰＩＰ関節にパーツが圧接することがない。そのため、走行が可能となる。
【００１３】
剛性パーツの近位端が内踝の下端に近づき過ぎていると、足関節の屈曲を十分に抑制できないだろう。また、剛性パーツの近位端が内踝から遠い程、剛性パーツの強度を下げることができる。かかる観点から剛性パーツの近位端の位置は内踝の下端から３ｃｍ以上に設定され、５ｃｍ以上が好ましく、７ｃｍ以上が最も好ましい。  
【００１４】
剛性パーツの近位端が内踝の下端から遠すぎると、パーツの長さが不必要に長くなる。かかる理由から、剛性パーツの近位端の位置は、４５ｃｍ以下に設定され、３５ｃｍ以下が好ましく、３０ｃｍ以下が最も好ましい。
【図面の簡単な説明】
【００１５】
【図１】本発明にかかるシューズの一実施例をデジタル写真で示す斜視図である。
【図２】剛性パーツをデジタル写真で示す斜視図である。
【図３】剛性パーツをデジタル写真で示す斜視図である。
【図４】剛性パーツの縦断面図および剛性パーツを断面したシューズの概略側面図である。なお、図４Ｂにはハトメ孔などを表記してない。
【図５】アッパーおよびベロのつま先部分をデジタル写真で示す斜視図である。
【図６】パーツと足の骨格との関係を示す平面図である。
【図７】パーツと足の骨格との関係を示す外足（側）面図である。
【図８】パーツと足の骨格との関係を示す内足（側）面図である。
【図９】ＭＰ関節の屈曲と筋や腱の負担との関係を示す棒グラフである。
【発明を実施するための形態】
【００１６】
好ましくは、前記遠位端の位置が第１および第２趾のＭＰ関節よりも前方に設定されている。
【００１７】
この場合、第１および第２ＭＰ関節よりも前方に延びた剛性パーツはＭＰ関節の屈曲を抑制する。ＭＰ関節の屈曲および足関節の背屈をしたときにアキレス腱やヒラメ筋などが硬くなる。したがって、ＭＰ関節の屈曲を抑制することで、腱や筋の負担が軽減される。
【００１８】
遠位端の位置は第１趾および第２趾に相当する部位のみを対象として定義している。その理由は、第１および第２趾のＩＰ、ＰＩＰ、ＭＰ関節の背屈を抑えることで、第３〜第５趾の足趾の関節の背屈も抑えることができるからである。
【００１９】
なお、ＭＰ関節とは、中足趾節間関節を意味する。
【００２０】
好ましくは、前記装着部の遠位端の位置が前記第１および第２趾のＭＰ関節よりも前方に設定され、かつ、前記装着部の近位端の位置が内踝の下端から３ｃｍ〜４５ｃｍの上方の範囲に設定されている。
【００２１】
このように設定された装着部に剛性パーツが装着されることで、その機能を発揮する。
【００２２】
好ましくは、前記剛性パーツは足の甲を覆う甲部と脚の前面を覆う脚部とを有し、
前記甲部の上面および前記脚部の前面には前記剛性パーツよりも柔軟で前記剛性パーツが前記装着部に対しズレるのを抑制するズレ抑制部材が付着している。
【００２３】
剛性パーツは足の背屈を抑制するものである。そのため、このパーツは硬いので、履物に対してズレ易い。柔軟なズレ抑制部材は剛性パーツが装着部に対してズレるのを抑制する。そのため、剛性パーツの機能を発揮し易い。
【００２４】
好ましくは、前記剛性パーツは、前記遠位端および前記近位端の幅に比べ前記遠位端と近位端との間において幅が小さい幅狭部を有する。
【００２５】
脚の前面や甲の上面に沿った剛性パーツは横断面において湾曲している。そのため、背屈時の剛性パーツの両縁には大きな応力が生じる。そこで、湾曲部の両端を削るなどして幅を狭くすれば、その幅狭部は平坦状に近い形状となり、背屈時に幅狭部に生じる応力は小さくなる。そのため、剛性パーツの耐久性が向上する。
【００２６】
１つの前記各実施態様または下記の実施例に関連して説明および／または図示した特徴は、１つまたはそれ以上の他の実施態様または他の実施例において同一または類似な形で、および／または他の実施態様または実施例の特徴と組み合わせて、または、その代わりに利用することができる。
【実施例】
【００２７】
本発明は、添付の図面を参考にした以下の好適な実施例の説明からより明瞭に理解されるであろう。しかし、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。
【００２８】
以下、本発明の一実施例を図面にしたがって説明する。
図１に示すように、履物はソール１、アッパー２およびシューレース（締付具）４に加え、図２および図３の剛性パーツ３を備える。
【００２９】
図４において、本履物はランニング用の履物である。図４Ｂの前記ソール１は接地するアウトソール１１とアウトソール１１上に配置されたミッドソール１２とを備えている。
【００３０】
前記アッパー２は脚が延び出る開口２０を足関節Ａｍ，Ａｌ（図７、図８）よりも上方に有する。図１のアッパー２には後述する剛性パーツ３の装着部２１が設けられている。
【００３１】
図７に示すように、剛性パーツ３は、近位端Ｅ１から遠位端Ｅ２まで脚前面Ｌｆから甲上面Ｆｆに沿って滑らかに連なっている。また、剛性パーツ３は、脚前面Ｌｆや甲上面Ｆｆに沿うように横断方向に図６のように円弧状に湾曲している。
【００３２】
図７および図８において、剛性パーツ３は足の甲Ｆを覆う甲部３０と脚Ｌの前面Ｌｆを覆う脚部３１とを有する。図６の前記剛性パーツ３は幅狭部Ｗ０を有する。幅狭部Ｗ０は図６の近位端Ｅ１および遠位端Ｅ２の幅Ｗ１，Ｗ２に比べ幅が小さい。
具体的に幅狭部Ｗ０の幅は、例えば、剛性パーツ３の最も幅の広い部分の幅Ｗmaxの３０％〜９０％、より好ましくは４５％〜８５％の範囲に設定される。さらに好ましくは幅狭部Ｗ０の幅は、幅Ｗmaxの６０％〜８０％である。
【００３３】
前記剛性パーツ３は弾性体であればその材料の種類は特に問わないが、例えば熱可塑性または熱硬化性の樹脂を主成分とする発泡体または非発泡体の樹脂を使用することができる。より具体的には、ポリプロピレン、繊維強化樹脂、ポリウレタン、ポリエチレン、オレフィン系樹脂、スチレン系樹脂、ポリアミドなどを使用することができる。また、剛性パーツ３の硬さは例えばアスカーＣ硬度では４０度以上７０度以下の範囲である。なお、Ｃ硬度とは、ＪＩＳ  Ｋ７３１２のＣ型硬度計により測定した値である。あるいは剛性パーツ３の硬さはショアＤ硬度において例えば６０以上８０以下の範囲である。剛性パーツ３の厚みは、例えば、１ｍｍ〜５０ｍｍである。剛性パーツ３の例えば幅狭部Ｗ０の部位が硬いゴムで形成されていてもよい。
【００３４】
図４Ａに示すように、剛性パーツ３の表面および裏面には、各々、ズレ抑制部材５およびクッション部材６が貼付されている。これらの部材５，６は例えば樹脂スポンジなどからなる。
【００３５】
ズレ抑制部材５は甲部３０の上面３０ｆから脚部３１の前面３１ｆにかけて配置され、剛性パーツ３よりも柔軟で剛性パーツ３が装着部２１においてズレるのを抑制する。
【００３６】
クッション部材６は剛性パーツ３よりも軟く、甲部３０の下面および脚部３１の背面に配置されている。クッション部材６は先端において、厚みが他の部分よりも大きい肉厚部を有している。このような肉厚部を設けることによって着用感の劣化を抑制することができる。
【００３７】
図７において、剛性パーツ３の近位端Ｅ１の位置は内踝Ａｍの下端から３ｃｍ〜４５ｃｍ上方の範囲に設定されている。好ましくは、近位端Ｅ１の位置は前記内踝Ａｍの下端から５ｃｍ〜３５ｃｍ上方の範囲に設定され、より好ましくは、近位端Ｅ１の位置は前記内踝Ａｍの下端から７ｃｍ〜３０ｃｍ上方の範囲に設定されている。最も好ましくは、近位端Ｅ１の位置は内踝Ａｍの下端から１０ｃｍ〜３０ｃｍ上方の範囲に設定される。
【００３８】
図６に示すように、剛性パーツ３は足趾の先端を覆っていない。また、剛性パーツ３の遠位端Ｅ２の位置はリスフラン関節Ｊよりも前方に設定され、好ましくは、第１趾Ｂ１〜第５趾Ｂ５のＭＰ関節よりも前方に設定される。
また、前記剛性パーツ３の遠位端Ｅ２は第１趾Ｂ１のＩＰ関節および第２趾Ｂ２〜第５趾Ｂ５のＰＩＰ関節よりは後方に位置するように設定されている。
【００３９】
図１のシューレース４は剛性パーツ３を図７の甲ＦおよびスネＬにフィットさせる。なお、図１のシューレース４が係合するハトメ孔およびフック式留め具が、それぞれ、アッパー２の足部２２および脚部２３に設けられていてもよい。
【００４０】
本例の場合、図１に示すように、装着部２１はアッパー２の内側部２Ｍおよび外側部２Ｌと舌片２４との間に形成される隙間Ｓによって構成される。すなわち、図５の内側部２Ｍおよび外側部２Ｌと舌片２４との間には剛性パーツ３（図１）を挿入するための隙間Ｓが設けられている。内側部２Ｍおよび外側部２Ｌの内表面(裏面)はズレ抑制部材５に接する。舌片２４の外表面はクッション部材６に接する。
【００４１】
図５に示す、装着部２１の遠位端Ｅ２２の位置は第１および第２趾Ｂ１，Ｂ２のＭＰ関節（図６）よりも前方に設定されている。図１の前記装着部２１の近位端Ｅ１１の位置は図７の内踝Ａｍの下端から３ｃｍ〜４５ｃｍの上方の範囲に設定されていてもよく、好ましくは、５ｃｍ〜３５ｃｍ上方の範囲に設定され、更に好ましくは７ｃｍ〜３０ｃｍの上方の範囲に設定され、最も好ましくは、１０ｃｍ〜３０ｃｍ上方の範囲に設定される。
【００４２】
つぎに、本履物の用い方について説明する。
図１のように、剛性パーツ３を装着部２１に装着した状態でシューズを着用し、走行練習を行う。
【００４３】
走行により、図７および図８の内外の踝Ａｍ，Ａｌを中心に爪先と脚とが互いに近づく背屈状態と、その逆の底屈状態とが繰り返し現れる。ここで、前記背屈状態においては、アキレス腱やヒラメ筋が伸び負荷が生じる。
【００４４】
これに対し、前記背屈時に剛性パーツ３の曲げ剛性は甲部３０と脚部３１とが互いに近づくのを抑制する。すなわち、図４の剛性パーツ３はクッション部材６および舌片２４を介して図７の足の甲上面Ｆｆおよび脚前面Ｌｆに接しており、前記背屈時に圧接する。そのため、甲ＦとスネＬとが互いに近づくのが抑制され、前記腱や筋の負荷が小さくなる。
【００４５】
特に、本実施例の場合、剛性パーツ３の遠位端Ｅ２がＭＰ関節よりも前方まで延びている。そのため、剛性パーツ３はＭＰ関節の屈曲を抑制する。このＭＰ関節の屈曲抑制は前記腱や筋の負荷の増大を抑制することが期待できる。かかる事象について確認をするために以下のテストを行った。
【００４６】
まず、被験者のＭＰ関節が大きく屈曲したままとなるように足にテーピングを施す。次に足関節に負荷を掛けない自由状態と被験者が足関節を最大限可動できる範囲で大きく屈曲（背屈）させた屈曲状態とにおいて、超音波の伝搬速度を測定し、両状態における速度比（％）を算出した。その結果を図９の白ヌキの棒グラフで示す。
【００４７】
一方、前記被験者のＭＰ関節が屈曲しないように足にテーピングを施し、同様のテストを行った。すなわち、足にテーピングを施し、足関節に負荷を掛けない自由状態と足関節を大きく屈曲させた屈曲状態とにおいて、超音波の伝搬速度を測定し、同様に速度比（％）を算出した。その結果を図９の斜線を施した棒グラフで示す。
【００４８】
図９の白ヌキのＭＰ関節が大きく屈曲した場合に比べ、斜線のＭＰ関節が屈曲していない場合は、足関節の屈曲前後の伝搬速度の比が小さいことが分かる。ここで、超音波の伝搬速度は腱等の組織が硬い程速くなる。したがって、ＭＰ関節が屈曲していない場合は腱等が硬くなりにくく、腱等の負荷が小さいことが分かる。
【００４９】
よって、図６のＭＰ関節を覆う剛性パーツ３はＭＰ関節の屈曲を抑制し、その結果、走行時に生じる腱等の負荷を小さくするであろうことが期待できる。
【００５０】
しかし、本発明において図６の剛性パーツ３の遠位端Ｅ２は、一部または全ての足趾において、ＭＰ関節よりも後方に配置されていてもよい。その場合、剛性パーツ３の遠位端Ｅ２の位置に応じて図１の装着部２１の遠位端Ｅ２２の位置が設定されてもよい。
【００５１】
また、剛性パーツ３の遠位端Ｅ２の位置は、第１趾Ｂ１および第２趾Ｂ２において、各々、第１趾Ｂ１のＩＰ関節および第２趾Ｂ２のＰＩＰ関節よりも後方に配置されていればよく、第３趾Ｂ３〜第５趾Ｂ５についてはＰＩＰ関節よりも前方に配置されていてもよい。これらの部位については、関節の動きが小さいからである。
【００５２】
また、図４Ａのように、クッション部材６は剛性パーツ３の遠位端Ｅ２に近い部位において厚くしてもよい。一方、舌片２４のクッションを増やすことで、剛性パーツ３の裏面のクッション部材６を設けないようにすることも可能である。
【００５３】
図４Ａのズレ抑制部材５としては例えば綿布のような摩擦係数の大きい素材が剛性パーツ３の上面３０ｆおよび前面３１ｆに付着されていてもよい。
【００５４】
図４Ｂの装着部２１は舌片２４自体で構成されてもよい。舌片２４に装着部２１を形成する構造としては、舌片２４に剛性パーツ３を収容するポケットを設けてもよいし、舌片２４が２層に分離し、その間に挿入できるようにしてもよい。
【００５５】
このようなポケットを設けた場合、剛性パーツ３の位置が安定し易いという利点がある。一方、舌片２４とアッパー２の足部２２との間で装着部２１を形成した場合には、着用者の適宜の配置を設定し易いという利点がある。
【００５６】
また、剛性パーツ３は図１のアッパーの内外に分離して埋設ないし搭載してもよい。
【００５７】
剛性パーツ３は縦断面や横断面において厚さを徐々に変化することができるように、圧縮成型や射出成型で制作されてもよい。あるいは、一定の厚さの樹脂プレートを曲げ変形することにより剛性パーツ３が立体成形されてもよい。
【００５８】
また、図２の剛性パーツ３の横断面形状は近位端Ｅ１および遠位端Ｅ２において湾曲した断面形状で、かつ、幅狭部Ｗ０において平板状の断面であってもよい。この場合、剛性パーツ３の割れ防止効果と板バネの効果を発揮し易い。
【００５９】
図３の剛性パーツ３には、１個又は複数個の貫通孔を設けてもよい。貫通孔は剛性パーツ３の内外の中央に設けてもよいが、足の内外に振り分けて内外の各々に設けてもよい。
【００６０】
図４Ａの剛性パーツ３の剛性を高めるために、リヴを配置してもよい。かかるリヴは剛性パーツ３と一体でも別体でもよい。
【００６１】
以上のとおり、図面を参照しながら好適な実施例を説明したが、当業者であれば、本明細書を見て、自明な範囲内で種々の変更および修正を容易に想定するであろう。
たとえば、剛性パーツ３はＦＲＰや金属の他、硬質のゴムで形成されてもよい。
シューレースに代え、あるいは、シューレースに加えて、締付部材としてベルトが採用されてもよい。
したがって、そのような変更および修正は請求の範囲から定まる本発明の範囲内のものと解釈される。
【産業上の利用可能性】
【００６２】
本発明はランニング用の履物に適用できる。
【符号の説明】
【００６３】
１：ソール
２：アッパー  ２０：開口  ２１：装着部  ２２：足部  ２３：脚部  ２４：舌片
３：剛性パーツ  ３０：甲部  ３０ｆ：上面  ３１：脚部  ３１ｆ：前面
４：締付具
５：ズレ抑制部材  ６：クッション部材
Ａｍ：内踝  Ａｌ：外踝
Ｂ１：第１趾  Ｂ２：第２趾
Ｅ１１：近位端  Ｅ２２：遠位端
Ｅ１：近位端  Ｅ２：遠位端
Ｆ：甲  Ｆｆ：甲上面
Ｌ：スネ，脚  Ｌｆ：脚全面
Ｊ：リスフラン関節
Ｗ０：幅狭部  Ｗ１，Ｗ２：幅（近位端、遠位端）
Ｓ：隙間
【図１】
2018019745.tif 000003
【図２】
2018019745.tif 000004
【図３】
2018019745.tif 000005
【図４】
2018019745.tif 000006
【図５】
2018019745.tif 000007
【図６】
2018019745.tif 000008
【図７】
2018019745.tif 000009
【図８】
2018019745.tif 000010
【図９】
2018019745.tif 000011